(57)【要約】  リング（１）は、指にはめられる座台（３）を画定し、座台（３）の直径を自動的に調整することが可能な調整装置（１０）を有している。調整装置（１０）は、座台（３）の中心に対して、後退位置と前進位置の間を移動するように、リング（１）の構造（２）に連結された少なくとも一つのアーム（１１）を有している。アーム（１１）は、少なくとも一つの長形バネ（２２）によって前進位置へ押され、長形バネ（２２）は、略円周方向に延出し、構造（２）又はアーム（１１）のいずれかの一方に固定される第１の端部（２３）を有し、第１の端部（２３）の反対側にあり、構造（２）又はアーム（１１）の他方に寄り掛って配置される第２の端部（２８）を有している。
2011510729.tif 000002
【特許請求の範囲】
【請求項１】
指に着けられる座台（３）を画定し、
構造（２）と、
前記座台（３）の直径を自動的に調整する調整装置（１０）と、
を含む、
リング（１）であって、
前記調整装置が、
ａ）前記座台（３）の中心に対して、後退位置と前進位置との間を回転するように、前記構造（２）に連結される少なくとも一つのアーム（１１）と、
ｂ）前記アーム（１１）を前記前進位置へ押すように、前記構造（２）と前記アーム（１１）との間の径方向に配置される弾性手段（２２）を含み、
前記弾性手段が、ほぼ前記円周方向に延出する少なくとも一つの長形弾性要素（２２）を含み、
前記少なくとも一つの長形弾性要素（２２）が、
前記構造（２）及び前記アーム（１１）のいずれか一方に固定される第１の端部（２３）と、
前記第１の端部（２３）の反対側にあり、前記構造及び前記アームの他方に寄り掛って配置される第２の端部（２８）と、
を含む、ことを特徴とするリング（１）。
【請求項２】
前記第１の端部（２３）が、溶接領域によって固定されることを特徴とする、請求項１に記載のリング。
【請求項３】
前記第１の端部（２３）が、前記アーム（１１）に固定されることを特徴とする、請求項１又は請求項２に記載のリング。
【請求項４】
前記第１の端部（２３）が、ほぼ直線状で前記アーム（１１）に接していることを特徴とする、請求項３に記載のリング。
【請求項５】
前記第１の端部（２３）が、前記アーム（１１）に固定された通路（２６）と係合していることを特徴とする、請求項４に記載のリング。
【請求項６】
アセンブリ中、前記第１の端部（２３）が前記通路（２６）内へ挿入可能であるように、前記第１の端部（２３）のサイズが、不具合分だけ、前記通路（２）のサイズに近似されることを特徴とする、請求項５に記載のリング。
【請求項７】
前記通路（２６）が、前記アーム（１１）の裏面と前記裏面に固定された半円筒形部分（２７）によって、画定されることを特徴とする、請求項６に記載のリング。
【請求項８】
前記アーム（１１）は、Ｕ字形の断面を有しており、前記第１の端部（２３）を収容する裏面仕切部（１６）を画定していることを特徴とする、請求項３〜請求項７のいずれか一項に記載のリング。
【請求項９】
前記第１の端部（２３）が、前記アーム（１１）のヒンジブッシュ（１２）に、溶接によって、固定されることを特徴とする、請求項３〜請求項８のいずれか一項に記載のリング。
【請求項１０】
前記第２の端部（２８）がアーチ形に形成され、前記第２の端部（２８）の凹部が前記アーム（１１）に対面していることを特徴とする、請求項３〜請求項９のいずれか一項に記載のリング。
【請求項１１】
前記弾性手段が、互いに平行に離間された複数の前記長形弾性要素（２２）を含むことを特徴とする、請求項１〜請求項１０のいずれか一項に記載のリング。
【請求項１２】
前記構造（２）が内部チャネル（４０）を画定し、前記内部チャネル（４０）が、前記弾性手段（２２ａ）を収容しており、前記アーム（１１ａ）に係合している窓（２１ａ）を介して、前記座台（３ａ）と連通していることを特徴とする、請求項１〜請求項１１のいずれか一項に記載のリング。
【発明の詳細な説明】
【技術分野】
【０００１】
本発明は、リングサイズを自動的に調整する調整装置を有している指輪に関する。
【背景技術】
【０００２】
一つのリングで、状況によって異なるさまざまなサイズの指に合うように着けられる自動調整装置が知られている。
【０００３】
例えば、特許文献１は、一つ以上のバネを収容する内部キャビティを画定する円形構造を含むリングを開示している。このようなバネは、構造に対してヒンジ式に取り付けられた一つ以上のアームに対して作用し、リングが着けられる指に対して、リングの内側に向かってアームを回転させる。このように、リングの中心に対するアームの位置は、リングが着けられる指のサイズに応じて、自動的に調整することができる。
【先行技術文献】
【特許文献】
【０００４】
【特許文献１】米国特許第６７４８７６４号明細書
【発明の概要】
【発明が解決しようとする課題】
【０００５】
特許文献１に示されている公知の解決法は、バネの種類及びリングの構造内へのバネのアセンブリ方法が、径方向に相対的に大きな寸法の内部キャビティを形成することを必要とするので、十分に満足できるものではない。
【０００６】
また、少なくとも特許文献１に開示されているいくつかの公知の解決方法において、バネをリングの内部キャビティに固定する位置が存在しないので、リングが着けられる時にバネが移動する可能性があり、結果的に、アーム位置の自動調整を妨害したり、制限したりするという欠陥があった。
【課題を解決するための手段】
【０００７】
本発明の目的は、単純且つ経費の掛からない方法で、上述した課題を解決することができる、リングのサイズを自動的に調整する調整装置を有している指輪を提供することである。
【０００８】
本発明は、指に着けられる座台を画定し、構造と、前記座台の直径を自動的に調整する調整装置と、を含む、リングであって、前記調整装置が、ａ）前記座台の中心に対して、後退位置と前進位置の間を回転するように、前記構造に連結される少なくとも一つのアームと、ｂ）前記アームを前記前進位置へ押すように、前記構造と前記アームの間の径方向に配置される弾性手段を含み、前記弾性手段が、ほぼ前記円周方向に延出する少なくとも一つの長形弾性要素を含み、前記少なくとも一つの長形弾性要素が、前記構造及び前記アーム）のいずれかの一方に固定される第１の端部と、前記第１の端部の反対側にあり、前記構造及び前記アームの他方に寄り掛って配置される第２の端部と、を含むことを特徴とするリングが提供する。
【０００９】
例示目的に提供されているが、本発明を限定するものではない添付図面を参照することによって、本発明がより明確に理解されよう。
【図面の簡単な説明】
【００１０】
【図１】明確化するために一部を省略しているが、本発明によるリングサイズを自動的に調整する調整装置を有する、本発明の第１の好ましい実施の形態による指輪を示す斜視図である。
【図２】図１に類似しているが、本発明の第２の好ましい実施の形態による指輪を示す図である。
【図３】図１に類似しているが、本発明の第３の好ましい実施の形態による指輪を示す図である。
【発明を実施するための最良の形態】
【００１１】
図１において、参照番号１は略円形の座台３を画定するリングを全体的に示しており、リング１は軸６に沿って差し込まれて指に着けられる。
【００１２】
リング１は、軸６に直交する相似形平面によって断面が示されている環状構造２と、構造２の外周に沿った固定位置において構造２上で設定され、軸６を中心に角度的に離間された一連の宝石５と、座台３の直径、即ち、リング１のサイズを、リング１が着けられる指の円周に応じて、自動的に調整するための調整装置１０と、を含む。
【００１３】
装置１０は、座台３を区分けするために、構造２の内周に沿って配置された５つのアーム１１を含む。アーム１１は、軸６を中心に均等に離間されるとともに、座台３の中心に対して後退位置と前進位置の間を回転するように構造２に連結されている。
【００１４】
具体的には、アーム１１の端部は、軸６と平行であって、アーム１１の回転軸を画定する、それぞれのヒンジピン１３に連結されたブッシュ１２によって、画定されている。ピン１３の軸方向の端部は、ブッシュ１２から突出し、構造２のそれぞれの円形貫通孔（図示しない）と係合している。
【００１５】
アーム１１は、それぞれの中間部分１５を含む。中間部分１５は、略円周方向に延出し、軸６を通過する断面平面を考慮するためにＵ字形の断面形を有しており、これによって、構造２と径方向に対向する裏側の各コンパートメント（仕切部）１６を画定することができる。座台３の反対側、即ち、中心に向かって、中間部分１５は、リング１が着けられる時に指に接触するそれぞれのアーチ面１７を有している。
【００１６】
ブッシュ１２の円周方向反対端部において、各アーム１１は、部分１５から、ブッシュ１２の円周方向反対側で径方向外側に突出する対応歯１８を含む。
【００１７】
アーム１１が前進位置に配置されると、歯１８は、アーム１１を調整するストローク止めを画定するために、構造２のそれぞれの肩部１９に寄り掛って配置されている。肩部１９は、円周方向のアーム１１同士の間に配置され、アーム１１によって係合されている５つの窓２１を、それぞれ、画定する。
【００１８】
アーム１１ごとに、装置１０は、対応対のワイヤバネ２２を含む。各対のワイヤバネ２２は、アーム１１を前進位置へ押すように、構造２とアーム１１の間の径方向に配置され、円周方向に延長され、互いに平行離間されている。
【００１９】
アーム１１ごとに、二つのワイヤバネ２２は、アーム１１に正接しており、仕切部１６内に収容されており、アーム１１に固定されている略直線形部分２３を含む。具体的には、これらの部分２３の端部は、レーザによる溶接ゾーン２５によって、ブッシュ１２に取り付けられる。
【００２０】
部分２３は、仕切部１６の底面によって画定されたそれぞれの通路２６と、これらに対応する半円筒形部分２７に係合しており、これらの通路２６と半円筒形部分２７は、仕切部１６の底面に固定されている。これらの部分２３は、不具合分が通路２６のサイズに近似される直径を有しており、したがって、アセンブリ工程中、部分２７内へ容易に挿入することができる。
【００２１】
部分２３の反対端において、二本のワイヤバネ２２は、仕切部１６の外側に延出しており、アーム１１に対面している凹部を有しており、構造２に寄り掛って形成されている、それぞれのアーチ部分２８を含む。アーチ部分２８の先端部は、アーム１１が座台３の中心に向かって前進方向にある時に、アーム１１及び構造２から、径方向に離間されている。
【００２２】
図２は、図１と同様の構成要素には同様の参照番号が付されており、参照文字の「ａ」が付与された「リング１ａ」を示している。リング１ａは、宝石５ａが、外周全体ではなく、構造２ａの片方のみに配置されていること以外は、リング１と略同様である。構造２ａは、バネ２２ａを収容するとともに、窓２１ａを介して座台３ａと連通している、内部チャネル４０ａを画定している。具体的には、窓２１ａもアーム１１ａも二個ずつ提供されており、径方向において対向している。ヒンジピン１３ａは、宝石５ａの径方向反対側のゾーンに配置されており、これによって、アーム１１ａは、リング１が着けられる時に、指を宝石５ａ方向へ押さずに、固定することができる。
【００２３】
具体的には、アーム１１ａごとに、６本のワイヤバネ２２ａが提供されている。部分２３ａの端部は、仕切部１６ａ内に配置され、ブッシュ１２ａの円周方向の反対側にある部分１５ａの端部に、溶接ゾーン２５ａを介して、固定される。これによって、部分２８ａは、ブッシュ１２ａに対向する。
【００２４】
図３は、図１及び図２と同様の構成要素には同様の参照番号が付されており、参照文字「ｂ」が付与された「リング１ｂ」を示している。構造２ｂは宝石は付いておらず、内部円形チャネル４０ｂを画定し、結婚指輪の外観と同様の外形を有していること以外は、リング１ａと略同様である。窓２１ｂとアーム１１ｂ（一つだけ図示する）は、それぞれ、三個提供されており、互いに１２０°離間されている。軸方向から見ると、アーム１１ｂごとに、ワイヤバネは、上述したワイヤバネの外形と同様の薄板バネ２２ｂに代わっている。半円筒形部分２７、２７ａは、矩形の断面通路２６ｂを画定するために、仕切部１６ｂの底面に平行な薄板部分２７ｂに代わっている。
【００２５】
上記から、使用されるバネの種類、即ち、円周方向に長形のバネが、径方向にコンパクトな構造を実現することができることがわかった。更に、バネ２２の一端をアーム１１又は構造２のいずれかに固定することによって、バネ２２、２２ａ、２２ｂを一定した固定位置に配置することができる。また、アーム１１、１１ａ、１１ｂの構造２、２ａ、２ｂへのアセンブリ中は、リング１を製造するための簡単さと製造速度が改良され、使用中は、装置１０、１０ａ、１０ｂの信頼度が高まるという両方の利点が得られた。
【００２６】
装置１０、１０ａ、１０ｂは、部分２７、２７ａ、２７ｂがバネ２２、２２ａ、２２ｂとアーム１１、１１ａ、１１ｂの間に弾性バイヤスを掛けることによって、このような弾性バイヤスが、直接、溶接ゾーン２５、２５ａ、２５ｂへ解除されないようにするので、信頼性が高まっている。同時に、部分２８、２８ａ、２８ｂが凹形状を有しており、これによって、アーム１１、１１ａ、１１ｂが前進位置と後退位置の間を移動している間、バネ２２、２２ａ、２２ｂが構造２、２ａ、２ｂを滑らかに摺動することができる。
【００２７】
以上から、添付請求の範囲に定義されているように、最終的に、本発明の範囲を逸脱しない限りにおいて、上記したリング１、１ａ、１ｂに対して多数の変更及び変形が可能であることが明確である。
【００２８】
具体的に、バネ２２、２２ａ、２２ｂを固定する方法は、溶接に限定されない（例えば、部分２３、２３ａ、２３ｂは、部分２７、２７ａ、２７ｂを押し込むことによって、通路２３、２３ａ、２３ｂ内へ固着することができる）、及び／又は、アーム１１、１１ａ、１１ｂの数は、例示した数に限定されない。また、ワイヤバネ２２、２２ａ又は薄板バネ２２ｂの数も、添付図面に例示されている数に限定されない。及び／又は、一端は、アームではなく、構造に固定することもできる。例示した方法に対して、二つの方法が考えられる。
【図１】
2011510729.tif 000003
【図２】
2011510729.tif 000004
【図３】
2011510729.tif 000005
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
指に着けられる座台（３）を画定し、
構造（２）と、
前記座台（３）の直径を自動的に調整する調整装置（１０）と、
を含む、
リング（１）であって、
前記調整装置が、
ａ）前記座台（３）の中心に対して、後退位置と前進位置との間を回転するように、前記構造（２）に連結される少なくとも一つのアーム（１１）と、
ｂ）前記アーム（１１）を前記前進位置へ押すように前記構造（２）と前記アーム（１１）との間の径方向に配置されており、少なくとも一つの長形弾性要素（２２）を含む、弾性手段（２２）と、
を含み、
前記長形弾性要素（２２）が、
略円周方向に延出している外形を有し、
前記構造（２）及び前記アーム（１１）のいずれか一方に溶接ゾーン（２５）によって固定される端部を有している第１の端部（２３）と、
前記円周方向に沿って、前記第１の端部（２３）の反対側にあり、前記構造（２）及び前記アーム（１１）の他方に寄り掛って配置されている第２の端部（２８）を含むことを特徴とする、
リング（１）。
【請求項２】
前記端部が、レーザ溶接によって固定されることを特徴とする、請求項１に記載のリング。
【請求項３】
前記端部が、前記アーム（１１）に固定されることを特徴とする、請求項１又は請求項２に記載のリング。
【請求項４】
前記第１の端部が、前記アーム（１１）に正接し前記アーム（１１）に固定された通路（２６）と係合している略直線形部分（２３）によって、画定されていることを特徴とする、請求項３に記載のリング。
【請求項５】
アセンブリ中、前記端部が前記通路（２６）内へ挿入可能であるように、前記略直線形部分（２３）のサイズが、不具合分だけ、前記通路（２）のサイズに近似されることを特徴とする、請求項４に記載のリング。
【請求項６】
前記通路（２６）が、前記アーム（１１）の裏面と、前記裏面に固定された半円筒形部分（２７）によって、画定されることを特徴とする、請求項５に記載のリング。
【請求項７】
前記アーム（１１）が、Ｕ字形の断面を有しており、前記端部を収容する裏面仕切部（１６）を画定していることを特徴とする、請求項３〜請求項６のいずれか一項に記載のリング。
【請求項８】
前記端部が、前記アーム（１１）のヒンジブッシュ（１２）に、前記溶接ゾーン（２５）によって、固定されることを特徴とする、請求項３〜請求項７のいずれか一項に記載のリング。
【請求項９】
前記第２の端部（２８）がアーチ形に形成され、前記第２の端部（２８）の凹部が前記アーム（１１）に対面していることを特徴とする、請求項３〜請求項８のいずれか一項に記載のリング。
【請求項１０】
前記弾性手段が、互いに平行に離間された複数の前記長形弾性要素（２２）を含むことを特徴とする、請求項１〜請求項９のいずれか一項に記載のリング。
【請求項１１】
前記構造（２）が内部チャネル（４０）を画定し、前記内部チャネル（４０）が、前記弾性手段（２２ａ）を収容しており、前記アーム（１１ａ）に係合している窓（２１ａ）を介して、前記座台（３ａ）と連通していることを特徴とする、請求項１〜請求項１０のいずれか一項に記載のリング。 
【手続補正２】
【補正対象書類名】明細書
【補正対象項目名】０００８
【補正方法】変更
【補正の内容】
【０００８】
本発明は、指に着けられる座台を画定し、構造と、前記座台の直径を自動的に調整する調整装置と、を含む、リングであって、前記調整装置が、ａ）前記座台の中心に対して、後退位置と前進位置の間を回転するように、前記構造に連結される少なくとも一つのアームと、ｂ）前記アームを前記前進位置へ押すように前記構造と前記アームの間の径方向に配置されており、少なくとも一つの長形弾性要素を含む、弾性手段と、を含み、前記長形弾性要素が、略円周方向に延出している外形を有し、前記構造及び前記アームのいずれかの一方に溶接ゾーンによって固定される端部を有している第１の端部と、前記円周方向に沿って、前記第１の端部の反対側にあり、前記構造及び前記アームの他方に寄り掛って配置されている第２の端部を含むことを特徴とする、リングを提供する。
【国際調査報告】
2011510729.tif 000006
2011510729.tif 000007